(57)【特許請求の範囲】
【請求項１】
ＨＴＭＬ文書等の構造化文書の解析結果に従った画面を表示手段に表示するＨＴＭＬ表示部と、外部サーバに対して構造化文書の送信を要求するＨＴＭＬ文書要求部と、通話を行う通話手段と、数字入力と共に文字入力が可能なダイヤルキーと、このダイヤルキーによる入力位置が前記表示手段に表示されている構造化文書の入力部分内にある場合前記ダイヤルキーからの入力を前記入力部分内に表示し、前記ダイヤルキーによる入力位置が前記表示手段に表示されている構造化文書の入力部分内にない場合前記ダイヤルキーからの入力を前記通話手段による発呼に用いる制御手段とを具備した通信端末装置。
【発明の詳細な説明】
【０００１】
【発明の属する技術分野】
本発明は、ディスプレイを備えた通信端末装置に関する。
【０００２】
【従来の技術】
近年、インターネットの普及に伴い、パーソナルコンピュータ（以下、ＰＣという）に限らず、携帯情報端末（以下、ＰＤＡという）を含むＷＷＷブラウザ機能を有するクライアントから、ＷＷＷサーバにアクセスしてＨＴＭＬ文書を閲覧することが行われている。
【０００３】
このクライアントの中には、キーボードを持たずタッチパネルディスプレイを備えているものがある。通常、このタイプのクライアントは、画面に表示したＨＴＭＬ文書の入力部分に文字を入力する場合、ソフトキーボードを使用するようになっている。そして、入力に際して、ひらがな、カタカナ、漢字、アルファベット、数字等のソフトキーボードの入力モードを切り替えることが行われている。
【０００４】
【発明が解決しようとする課題】
しかしながら、従来の通信端末装置では、ＨＴＭＬ文書の入力部分に文字を入力する場合ソフトキーボードを一々立ち上げる必要があり、また、入力モードを切り替える必要がある等操作が煩わしい。また、ソフトキーボードが立ち上がった後も、画面がソフトキーボードで占有されてしまい、ＨＴＭＬ文書を見られる領域が少なくなってしまう。
【０００５】
本発明は、かかる点に鑑みてなされたものであり、簡単な操作で構造化文書の入力部分に文字を入力することができる通信端末装置を提供することを目的とする。
【０００６】
【課題を解決するための手段】
本発明は、上記課題を解決するため、電話番号を入力するためのダイヤルキーを、ブラウザで画面に表示した構造化文書の入力部分への数字、文字又は記号の入力に併用する。
【０００７】
【発明の実施の形態】
本願の第１の態様に係る通信端末装置の発明は、ＨＴＭＬ文書等の構造化文書の解析結果に従った画面を表示手段に表示するＨＴＭＬ表示部と、外部サーバに対して構造化文書の送信を要求するＨＴＭＬ文書要求部と、通話を行う通話手段と、数字入力と共に文字入力が可能なダイヤルキーと、このダイヤルキーによる入力位置が前記表示手段に表示されている構造化文書の入力部分内にある場合前記ダイヤルキーからの入力を前記入力部分内に表示し、前記ダイヤルキーによる入力位置が前記表示手段に表示されている構造化文書の入力部分内にない場合前記ダイヤルキーからの入力を前記通話手段による発呼に用いる制御手段と、を具備する構成を採る。
【０００８】
この構成によれば、制御手段は、ダイヤルキーによる入力位置が構造化文書の入力部分内である場合にダイヤルキーからの入力をフォーカスのある入力部分内に表示し、また、前記ダイヤルキーによる入力位置が前記表示手段に表示されている構造化文書の入力部分内にない場合前記ダイヤルキーからの入力を通話手段による発呼に用いる。これにより、もっぱら発呼番号を入力するのに用いられるダイヤルキーを、構造化文書への入力に併用することができるので、簡単な操作で構造化文書の入力部分に文字等を入力することができる。
【０００９】
以下、本発明の一実施の形態に係る通信端末装置について図面を参照して説明する。
【００１０】
図１は、本発明の一実施の形態に係るファクシミリ装置を示す外観斜視図である。
【００１１】
ファクシミリ装置１の本体２の上面部には、タッチパネルディスプレイ３が開閉自在に取り付けられている。タッチパネルディスプレイ３は、画面３ａの仰角を自在に変更できるように本体２に取り付けられている。より詳細には、タッチパネルディスプレイ３は、画面３ａを上方に向けて倒した第１の姿勢と画面３ａを本体２に対して直立させた第２の姿勢をとり得るようになっている。タッチパネルディスプレイ３は、第１の姿勢および第２の姿勢の間で連続的に仰角を変更し得る。
【００１２】
また、本体２の上面部には、ダイヤルキー４及びカーソルキー５が設けられている。また、カーソルキー５は、画面３ａに表示されたカーソル及びポインタを４方向に自在に移動させるための指示手段である。ダイヤルキー４及びカーソルキー５は、上述のようにタッチパネルディスプレイ３を倒した場合に覆われる。
【００１３】
本体２の側面部にはハンドセット６が取り付けられている。ハンドセット６には、この例ではコード付きの受話器が用いられているが、コードレスの受話器であっても良い。また、本体２の前面部には、スキャナ給紙部７とプリンタ排紙部８とが設けられている。
【００１４】
図２は、上記実施の形態に係るファクシミリ装置１のハードウエアブロック図である。
【００１５】
タッチパネルディスプレイ３は、ＬＣＤディスプレイ３Ａとタッチパネル３Ｂとで構成されている。
【００１６】
ＣＰＵ（中央演算処理ユニット）１１は、プログラムに従って目的の処理を実行する。
【００１７】
ＲＯＭ（Read Only Memory）１２は、起動プログラム等の基本プログラムを格納した読み出し専用メモリである。
【００１８】
ＲＡＭ（Random Access Memory）１３は、ＣＰＵ１１がプログラム及びデータを読み込んで実行するメインメモリである。
【００１９】
フラッシュメモリ（以下、ＦＲＯＭという）１４は、消去書き換え可能な不揮発性半導体メモリであり、主にアプリケーションプログラム、ＨＴＭＬ文書等の実行プログラム及びデータを格納する。
【００２０】
回線制御部（以下、ＮＣＵという）１５は、公衆回線網（以下、ＰＳＴＮという）１６との間の信号の送受信を制御する。ＮＣＵ１５は、発呼、着信等の処理を行う。このＮＣＵ１５には、ハンドセット６及び内蔵スピーカ１７が接続されている。
【００２１】
通信制御部１８は、ＰＳＴＮ１６を介してデータ通信及びファクシミリ通信を行う。この例ではファクシミリモデムであるが、ＤＳＵ、ターミナルアダプタ（ＴＡ）であっても良い。ファクシミリモデムは音声信号のデジタル化も合わせて行う。
【００２２】
音声処理部１９は、デジタル化した音声信号を符号化して圧縮したり、逆に圧縮音声信号を復号化して伸長する。
【００２３】
タッチパネルディスプレイ３は、表示手段としての液晶パネルディスプレイ及び入力手段としてのタッチパネルで構成されている。タッチパネルディスプレイ３は、情報を表示すると共にユーザの操作を受け入れる。具体的には、タッチパネルディスプレイ３の画面３ａには、各種情報、並びに、入力画面、操作メニュー、アイコン及びボタン等が表示される。画面３ａを、ペン又は指で触れることにより、文字又は絵の入力及びメニュー等の選択を行うことができる。
【００２４】
ダイヤルキー４は、電話のダイヤル操作だけでなく、タッチパネルディスプレイ３に表示された入力欄への数字等の入力にも用いられる。
【００２５】
外部Ｉ／Ｏ２０は、ＰＣ、ＴＡ、バーコードリーダ、外部モデム等の外部機器とのデータ通信を制御する。外部Ｉ／Ｏ２０は、例えばシリアルインターフェース、ＵＳＢ（Universal Serial Bus）である。
【００２６】
ＰＣカードインターフェース２１は、ＰＣカードと本体との間のデータの送受信を制御する。ＰＣカードとしては、フラッシュメモリカード、モデムカード、ＬＡＮカード、ＩＳＤＮカード等種々のものが使用できる。
【００２７】
スキャナ２２は、原稿の読み取りを行う。プリンタ２３は、画像、テキスト等の種々のデータを印刷する。
【００２８】
バス２４は、ＣＰＵ１１と、ＲＯＭ１２、ＲＡＭ１３等の各部とを接続する線路である。
【００２９】
図３は、上記実施の形態に係るファクシミリ装置１を示す機能ブロック図である。
【００３０】
座標位置検出部３１は、タッチパネル３Ｂにペンまたは指先が触れた位置（以下、フォーカスという）のＬＣＤディスプレイ３Ａの画面上の座標（以下、指示座標という）を検出する。
【００３１】
本実施の形態に係るファクシミリ装置１は、ブラウザ機能部３２を有する。このブラウザ機能部３２は、ＨＴＴＰ規格に準拠した機能を有するものである。
【００３２】
具体的には、ＨＴＭＬ解析部３３は、例えばネットワーク上のＷＷＷサーバから読み取ったＨＴＭＬ文書、または、ＦＲＯＭ１４から読み出した内部ＨＴＭＬ文書の解析を行う。
【００３３】
ＨＴＭＬ表示部３４は、ＨＴＭＬ解析部３３による解析結果に従って表示データを出力する。
【００３４】
ブラウザ入力部３５は、ＵＲＬの入力、リンクのクリック、ＨＴＭＬ文書の入力部分への入力等のブラウザ機能に対する入力を受け取り、これを処理する。
【００３５】
ＨＴＭＬ文書要求部３６は、ブラウザ入力部３５に対する入力に応じて、ＨＴＴＰ（Hyper Text Transfer Protocol）に従ってＷＷＷサーバに対してＨＴＭＬ文書の転送を要求する。また、ＨＴＭＬ文書要求部３６は、ＦＲＯＭ１４に格納した内部ＨＴＭＬ文書の読み取りを行う。
【００３６】
上記ＨＴＭＬ表示部３４から出力した表示データは、表示制御部３７によりＬＣＤディスプレイ３Ａに表示される。
【００３７】
判定部３８は、座標位置検出部３１から指示座標を得る一方、ＨＴＭＬ表示部３４よりＨＴＭＬ文書中の入力部分の座標（以下、入力部分座標という）を得て、指示座標が入力部分座標内であるか否か判定する。
【００３８】
ソフトキーボード３９は、ＬＣＤディスプレイ３Ａに表示されるひらがな、カタカナ、漢字、記号および数字の入力を行うための入力手段である。
【００３９】
ダイヤル画面４０は、内部ＨＴＭＬ文書に従ってＬＣＤディスプレイ３Ａに表示され且つ電話番号を入力するダイヤルを含む画面である。ダイヤル部分に触れることによりダイヤルキー４と同等の操作が可能である。
【００４０】
入力手段制御部４１は、判定部３８による判定に基づいて、ダイヤルキー４、ソフトキーボード３９およびダイヤル画面４０からの入力を、ブラウザ入力部３５および通信制御部１８に送り出す。
【００４１】
設定テーブル４２は、本実施の形態に係るファクシミリ装置１の各種設定内容を保持する。図４に示すように、設定テーブル４２には、フォーカスがＨＴＭＬ文書の入力部分にある場合にフラグが立てられる。また、ソフトキーボード３９の表示を希望する場合にフラグが立てられる。また、ダイヤルキー４をブラウザの入力に兼用する場合にフラグが立てられる。さらに、ソフトキーボードの入力モードの種類に応じてフラグが夫々立てられる。設定テーブル４２のフラグを考慮して、判定部３８は入力手段の入力の送り先の判定を行う。
【００４２】
フックオフ検知部４３は、通信制御部１８を介してハンドセット６のフックオフを検知して、判定部３８に知らせる。
【００４３】
次に、上記構成からなるファクシミリ装置１の動作について説明する。図５は、本発明の実施の形態に係るファクシミリ装置１におけるタッチパネル３Ｂに接触があった場合の制御の各工程を示すフロー図である。
【００４４】
工程（以下、ＳＴという）５０１において、判定部３８は、タッチパネル３Ｂへの入力、すなわちペンまたは指による接触があるか否かチェックする。
【００４５】
入力があった場合、ＳＴ５０２において、フォーカスがＨＴＭＬ文書の入力部分にあるか否かチェックする。具体的には、判定部３８は、フォーカスがＨＴＭＬ文書のＩＮＰＵＴタグで指定された画面上の入力部分にあるか否か判定する。
【００４６】
ＳＴ５０２でフォーカスが入力部分にあった場合、ＳＴ５０３において、図４に示す設定テーブル４２の「フォーカス・ＨＴＭＬ入力部分」のフラグがオンされる。
【００４７】
次いで、判定部３８は、ＳＴ５０４において、設定テーブル４２の「ソフトキーボード表示」のフラグがオンかオフかチェックする。オンの場合、ＳＴ５０５において、ソフトキーボード３９が画面に表示される。
【００４８】
図６（ａ）は、本発明の実施の形態に係るファクシミリ装置１の入力部分を含む画面の一例を示す図である。図６（ｂ）は、ソフトキーボードが表示された画面の一例を示す図である。画面６１内には、ＨＴＭＬ文書中ＩＮＰＵＴタグで指定された入力部分６２〜６４が複数表示されている。フォーカスが入力部分６２〜６４のいずれかにある場合、図６（ｂ）に示すように、ソフトキーボード６５が表示される。
【００４９】
ここで、図６（ａ）、（ｂ）を用いてソフトキーボード６５による入力について説明する。図６（ａ）に示す画面は、みかん、リンゴ、ぶどうの発注画面である。各々の発注個数を入力して送信ボタン６６に触ることにより発注操作が完了する。各発注個数の横の入力部分６２〜６４はＩＮＰＵＴタグで記述されている。これらの入力部分６２〜６４を触ると、図６（ｂ）に示すようにソフトキーボード６５が表示される。例えば「１２」を入力したいときは、このソフトキーボード６５の「１」、「２」、「終了」という順番で触れれば良い。
【００５０】
一方、ＳＴ５０２でフォーカスが入力部分になかった場合、ＳＴ５０６において、設定テーブル４２の「フォーカス・ＨＴＭＬ入力部分」のフラグはオフされる。次いで、ＳＴ５０７において、判定部３８は、フォーカスがダイヤル画面４０のダイヤルアイコン部分にあるか否かについて判定する。
【００５１】
ＳＴ５０７でフォーカスがダイヤルアイコン部分にあった場合、ＳＴ５０８においてダイヤル入力処理が行なわれる。より具体的には、ダイヤル画面４０のダイヤルアイコン部分には、それぞれ数字または記号（＊、＃）が対応付けられている。これにより、任意のダイヤルアイコン部分に指またはペンで触れると、対応付けられた数字または記号のデータが入力される。入力データは、入力手段制御部４１により通信制御部１８に電話ダイヤルデータとして送り出される。
【００５２】
次に、本実施の形態に係るファクシミリ装置１でダイヤルキー４が押された場合の処理について説明する。図７は、本発明の実施の形態に係るファクシミリ装置１でダイヤルキー４が押された場合の制御の各工程を示すフロー図である。
【００５３】
ＳＴ７０１においては、判定部３８は、ダイヤルキー４が押されたか否かチェックする。ダイヤルキー４が押されたら、判定部３８は、ＳＴ７０２において、設定テーブル４２の「ダイヤルキー・ブラウザ入力兼用」のフラグがオンかオフかチェックする。
【００５４】
オンの場合、ＳＴ７０３において、「フォーカス・ＨＴＭＬ入力部分」がオンか否かチェックする。ここでオンの場合、判定部３８は、ＳＴ７０４において、ダイヤルキー４の入力データをブラウザ入力処理するよう判定する。より具体的には、ダイヤルキー４のいずれかのキーが押された場合、当該キーに対応付けられた数字または記号が入力される。この入力データを、入力手段制御部４１にブラウザ機能部３２のブラウザ入力部３５に送り出させる。
【００５５】
一方、ＳＴ７０２において、ダイヤルキー・ブラウザ入力兼用のフラグがオフの場合、判定部３８は、ＳＴ７０５において、ダイヤルキーをダイヤル入力処理に用いるよう判定する。より具体的には、ダイヤルキー４のいずれかのキーが押された場合、当該キーに対応付けられた数字または記号が入力される。この入力データを、入力手段制御部４１に通信制御部１８へ電話ダイヤルデータとして送り出させる。
【００５６】
また、ＳＴ７０３において、「フォーカス・ＨＴＭＬ入力部分」フラグがオフの場合、同様に、判定部３８は、ＳＴ７０５において、ダイヤルキーをダイヤル入力処理に用いるよう判定する。
【００５７】
上述のように、本実施の形態によれば、フォーカスがＨＴＭＬ文書の入力部分にある場合、ダイヤルキー４からの入力データをブラウザ機能部３２のブラウザ入力部３５に送出する。これにより、ダイヤルキー４をブラウザ入力に併用することができる。これにより、ソフトキーボード３９による入力よりもダイヤルキー４による入力の方が操作しやすいと感じる操作者に対して、ブラウザへの入力の操作性を向上することができる。すなわち、もっぱら発呼番号を入力するのに用いられるハードキーを、構造化文書への入力に併用ことができるので、ソフトキーボードの操作になれていない人に、従来より親しみのあるハードキーによる操作を提供することができる。
【００５８】
また、ダイヤルキー４を使用してソフトキーボード３９を表示させないことにより、ソフトキーボード３９によりＬＣＤディスプレイ３Ａの画面が占有されて表示領域が少なくなり、ＨＴＭＬ文書の入力部分が隠れるのを防ぐことができる。
【００５９】
また、ダイヤルキー４をブラウザ入力に併用すること、および、ソフトキーボード３９の表示は設定テーブル４２の内容に従って判定されるので、操作者の希望に応じてダイヤルキー４およびソフトキーボード３９を選択してしようすることができる。しかも、切り替えは自動的に行われているので操作者は切り替えを意識する必要がない。
【００６０】
次に、本実施の形態に係るファクシミリ装置１において、ダイヤルキーの入力モードに応じた入力手段の制御について説明する。図８は、本実施の形態に係るファクシミリ装置１におけるダイヤルキーの入力モードに応じた入力手段の制御の各工程を示すフロー図である。
【００６１】
本実施の形態に係るファクシミリ装置１は、ダイヤルキー４を用いてひらがな、カタカナおよびアルファベットを入力することができる。また、入力されたひらがな、カタカナを漢字変換する機能を有する。例えば、漢字変換は、ひらがな等を入力した後「＊」「＃」キーを押し下げることにより行われるようになっている。ダイヤルキー４の入力モードの変更は、例えば「＊」または「＃」キーにモード変更機能を割り当て、当該キーを押し下げることにより行われるようになっている。
【００６２】
ＳＴ８０１において、判定部３８は、設定テーブル４２のダイヤルキー・入力モードのフラグに基づいて、ダイヤルキー４の入力モードが数字か否かチェックする。
【００６３】
入力モードが数字である場合、ＳＴ８０２において、判定部３８は、ダイヤルキー４の入力データをブラウザ入力処理するよう判定する。より具体的には、ダイヤルキー４のいずれかのキーが押された場合、当該キーに対応付けられた数字または記号が入力される。この入力データを、入力手段制御部４１にブラウザ機能部３２のブラウザ入力部３５に送り出させる。
【００６４】
一方、ＳＴ８０１において、ダイヤルキー４の入力モードが数字でない場合、ＳＴ８０３において、ダイヤルキー４のいずれかのキーが押された場合、当該キーに対応付けられた数字を、文字コードの１桁目として、ＲＡＭ１３に格納する。同様にして、ダイヤルキー４により入力された数字を順次格納する。ＳＴ８０４において、文字コードの桁数まで数字が入力されたか否かチェックする。所定の文字コードの桁数まで数字が入力されたら、ＳＴ８０５において、ＲＡＭ１３に格納した数字を、文字コードとしてブラウザ入力部３５に渡す。文字コードは、入力手段制御部４１が搭載した変換機能により対応する文字に変換される。
【００６５】
上述の通り、本実施の形態によれば、ダイヤルキー４により、数字だけでなくひらがな、カタカナ、漢字およびアルファベットを入力することが可能である。
【００６６】
次に、ダイヤル入力処理について詳細に説明する。図９は、本実施の形態に係るファクシミリ装置１におけるダイヤル入力処理の各工程を示すフロー図である。
【００６７】
ＳＴ９０１において、判定部３８は、ＰＳＴＮ１６を使用中か否か判定する。使用中でない場合、ＳＴ９０２において、入力手段制御部４１は、ダイヤルキー４からの電話ダイヤルデータがあるか否かチェックする。
【００６８】
ＳＴ９０２において、ダイヤルキー４からのデータが電話ダイヤルデータでなかった場合、ＳＴ９０３において、ダイヤル画面４０のダイヤルアイコン、すなわちタッチパネル３Ｂからの電話ダイヤルデータがあるか否かチェックする。
【００６９】
ＳＴ９０２およびＳＴ９０３において、電話ダイヤルデータの入力があった場合、ＳＴ９０４において、判定部３８は、通信制御部１８に電話ダイヤルデータをＰＳＴＮ１６に送出させる。ここで、電話ダイヤルデータは、１つずつＰＳＴＮ１６に送出しても良いし、全ての電話ダイヤルデータをＲＡＭ１３に一端格納した後、ハンドセット６がオフフックされたタイミングで全て電話ダイヤルデータをＰＳＴＮ１６に一括で送出しても良い。
【００７０】
一方、ＳＴ９０１において、ＰＳＴＮ１６が使用中である場合、ＳＴ９０４において、タッチパネル３Ｂおよびダイヤルキー４の両方からの電話ダイヤルデータが送出されていない場合、ＳＴ９０５において、タッチパネル３Ｂおよびダイヤルキー４からの入力を無視して、電話ダイヤルデータを無効にする。
【００７１】
上述の通り、本実施の形態によれば、タッチパネル３Ｂおよびダイヤルキー４の両方からダイヤル入力が可能になるので、タッチパネルディスプレイ３の仰角によって、ダイヤルキー４が操作者から見えなかったり操作しづらくなった場合に、ダイヤル画面３７からダイヤル入力を行うことができる。また、ＰＳＴＮ１６が使用中でない場合にだけ、電話ダイヤルデータをＰＳＴＮ１６に送出するので、通話中に誤って発呼処理が実行されるのを防止することができる。
【００７２】
次に、ダイヤル入力処理について詳細に説明する。図１０は、本実施の形態に係るファクシミリ装置１におけるダイヤル入力処理の各工程を示すフロー図である。
【００７３】
上記の通り操作者がＨＴＭＬ文書を閲覧してＨＴＭＬ文書の入力部分にフォーカスしたとき、ダイヤルキー４は、ダイヤル入力からブラウザ入力に切り替わる。この状態で、ハンドセット６を持ち上げた場合の入力手段の制御は次のように行われる。
【００７４】
まず、ＳＴ１００１において、判定部３８は、ハンドセット６が上がっているか否かチェックする。このチェックは、図３に示すフックオフ検知部４３で、ハンドセット６を上げたことによりＮＣＵ１５がＰＳＴＮ１６に閉結されたことを検知して行う。
【００７５】
ハンドセット６が上がったら、ＳＴ１００２において、判定部３８は、入力手段制御部４１にダイヤルキー４からの入力データの送出先をブラウザ入力部３５から通信制御部１８に切り替えさせる。
【００７６】
ＳＴ１００３においては、判定部３８は、ダイヤル入力が終了したか否かチェックする。ダイヤル入力が終了したら、ＳＴ１００４において、タイマをスタートさせる。ＳＴ１００５において、所定の時間が経過したことを確認した後、ＳＴ１００６において、判定部３８は、入力手段制御部４１にダイヤルキー４からの入力データの送出先を通信制御部１８からブラウザ入力部３５に復帰させる。
【００７７】
上述のように、本実施の形態によれば、ＦＲＯＭ１４に格納した内部ＨＴＭＬ文書またはＰＣカードインターフェースに接続したＬＡＮカード、モデム、ＩＳＤＮカードを使って、ＰＳＴＮ１６とは別のルートでＬＡＮまたはインターネットに接続してＷＷＷサーバ上のＨＴＭＬ文書を閲覧、入力している最中に電話をかけたときに、自動的にダイヤルキー４をブラウザの入力に復帰させることができる。これにより、操作者は、特別な意識をせずに、ダイヤル入力およびブラウザ入力をダイヤルキー４を使用して行うことができる。
【００７８】
また、ダイヤルキー４からの発呼番号の入力が終了して所定時間経過した後、ダイヤルキー４の出力先を、通信制御部１８からＨＴＭＬ入力部３５に復帰するので、通話が確立した後、再びＨＴＭＬ文書に入力を行うことできる。また、操作者は、復帰を意識する必要がない。
【００７９】
本実施の形態では、ダイヤルキー４をブラウザ入力に併用すること、および、数字以外の文字、符号の入力に使用することが可能である。このため、ダイヤルキー４がブラウザ入力併用かダイヤル専用か否か、および、ダイヤルキー４の入力モードを画面に表示して操作者に一見して判るようにすることが好ましい。
【００８０】
具体的には、図７に示すフローのＳＴ７０２で判定部３８が行ったチェック結果に従ってＬＣＤディスプレイ３Ａの画面にアイコン等を表示したり、装置本体に別途用意したＬＥＤランプを点灯したりして、ダイヤルキー４がブラウザ入力併用か否かを報知する。例えば、図１に示すようにタッチパネルディスプレイ３の右上端部には、電源オン・オフを示す電源ＬＥＤ２０１、留守録のオン・オフ等を示す留守ＬＥＤ２０２に並べてブラウザ入力兼用か否かを示すブラウザ入力ＬＥＤ２０２を設ける。
【００８１】
また、図８に示すＳＴ８０１において、判定部３８がダイヤルキー４の入力モードを判定して、数字か文字コードかをチェックし、この結果に従ってＬＣＤディスプレイ３Ａにいずれかの入力モードかをアイコン、文字等により表示する。
【００８２】
また、本実施の形態に係るファクシミリ装置１は、上述の通り、タッチパネルディスプレイ３の仰角を自在に変更することが可能である。仰角によっては、例えば、画面を倒して上方に向けているときにタッチパネルディスプレイ３によりダイヤルキー４が隠れることがある。
【００８３】
図１１（ａ）〜（ｃ）は、本実施の形態に係るファクシミリ装置１のタッチパネルディスプレイの角度調整の変遷を示す図である。図１１（ａ）に示すように、タッチパネルディスプレイ３は、ヒンジ部１１０を介して本体２に取り付けられている。ヒンジ部１１０は、タッチパネルディスプレイ３との接続部１１０ａおよび本体２との接続部１１０ｂにおいて、それぞれ揺動自在に取り付けられている。これにより、タッチパネルディスプレイ３は、図１１（ａ）に示すように、画面３ａを前方に向けて略直立した第１の姿勢から、タッチパネルディスプレイ３の下端部を持ち上げることにより、図１１（ｂ）に示すように、画面３ａを上方に向けることができる。次に、タッチパネルディスプレイ３を下方に押し下げることにより、図１１（ｃ）に示すように、タッチパネルディスプレイ３を、画面３ａを上方に向けた状態で本体２上に被せた第２の姿勢をとることができる。第２の姿勢では、本体２上に設けられたダイヤルキー４は隠れてしまう。この場合、図１２（ａ）に示すようなダイヤル画面４０を使用する。しかし、ダイヤルキー４を使用できる場合、例えば、画面が直立しているときは、ダイヤル画面４０にダイヤルアイコン部分４０ａは不要である。そこで、このような場合には、図１２（ｂ）に示すように、ダイヤルアイコン部分がない入力結果表示画面１２０に切り替えることにより，ダイヤルキー４による入力結果を大きく表示して見やすくすることができる。
【００８４】
切り替えは、タッチパネルディスプレイ３のヒンジ部１１０に取り付けたセンサによりタッチパネルディスプレイ３が所定の仰角を超えたことを検知したときに行う。
【００８５】
以上、本発明は、上記実施の形態に特に限定されるものではない。例えば、上記実施の形態では、ファクシミリ装置を例に挙げて説明したが、ファクシミリ通信機能を搭載しないかプリンタまたはスキャナを搭載しないインターネット通信機能付き電話も本発明に包含される。また、電話とは、携帯電話、ＰＨＳ、インターネット電話等のあらゆる通信形態を包含する。
【００８６】
【発明の効果】
以上説明したように、本発明によれば、通信端末装置において、簡単な操作で構造化文書の入力部分に文字を入力することができる。
【図面の簡単な説明】
【図１】本発明の一実施の形態に係るファクシミリ装置を示す外観斜視図
【図２】上記実施の形態に係るファクシミリ装置のハードウエアブロック図
【図３】上記実施の形態に係るファクシミリ装置を示す機能ブロック図
【図４】上記実施の形態に係るファクシミリ装置で用いる設定テーブルを示す図
【図５】上記実施の形態に係るファクシミリ装置においてタッチパネルに接触があった場合の制御の各工程を示すフロー図
【図６】（ａ）  上記実施の形態に係るファクシミリ装置の入力部分を含む画面の一例を示す図
（ｂ）  ソフトキーボードが表示された画面の一例を示す図
【図７】上記実施の形態に係るファクシミリ装置でダイヤルキーが押された場合の制御の各工程を示すフロー図
【図８】上記実施の形態に係るファクシミリ装置におけるダイヤルキーの入力モードに応じた入力手段の制御の各工程を示すフロー図
【図９】上記実施の形態に係るファクシミリ装置におけるダイヤル入力処理の各工程を示すフロー図
【図１０】上記実施の形態に係るファクシミリ装置におけるダイヤル入力処理の各工程を示すフロー図
【図１１】（ａ）  上記実施の形態に係るファクシミリ装置のタッチパネルディスプレイの角度調整の変遷を示す図
（ｂ）  上記実施の形態に係るファクシミリ装置のタッチパネルディスプレイの角度調整の変遷を示す図
（ｃ）  上記実施の形態に係るファクシミリ装置のタッチパネルディスプレイの角度調整の変遷を示す図
【図１２】（ａ）  上記実施の形態に係るファクシミリ装置におけるダイヤル画面の一例を示す図
（ｂ）  入力結果表示画面の一例を示す図
【符号の説明】
１  ファクシミリ装置
２  装置本体
３  タッチパネルディスプレイ
３Ａ  ＬＣＤディスプレイ
３Ｂ  タッチパネル
４  ダイヤルキー
６  ハンドセット
１５  ＮＣＵ
１６  ＰＳＴＮ
１８  通信制御部
３１  座標位置検出部
３２  ブラウザ機能部
３３  ＨＴＭＬ解析部
３４  ＨＴＭＬ表示部
３５  ブラウザ入力部
３６  ＨＴＭＬ文書要求部
３８  判定部
３９  ソフトキーボード
４０  ダイヤル画面
４１  入力手段制御部
４２  設定テーブル
４３  フックオフ検知部
【図１】
0003682037.tif 000002
【図２】
0003682037.tif 000003
【図３】
0003682037.tif 000004
【図４】
0003682037.tif 000005
【図５】
0003682037.tif 000006
【図６】
0003682037.tif 000007
【図７】
0003682037.tif 000008
【図８】
0003682037.tif 000009
【図９】
0003682037.tif 000010
【図１０】
0003682037.tif 000011
【図１１】
0003682037.tif 000012
【図１２】
0003682037.tif 000013